(57)【要約】【課題】  従来のカメラ付き携帯通信機は、動画撮影中に着信が発生すると、着信音をミュートするとともに、着信が発生したことを報知するメッセージをファインダに表示する。しかし、カメラ起動後、動画撮影開始前に発生した着信により動画撮影開始が妨げられるという問題があった。【解決手段】  本発明にかかるカメラ付き携帯通信機は、カメラと、音声通話やメールを含む複数種類の情報が着信したことを検出する着信検出部と、カメラの起動処理がされてからカメラが終了されるまでの間に、着信検出部が着信の発生を検出すると、着信音をミュートする処理を行い、着信の種類と着信の発信者情報を含むメッセージ、このメッセージに基づいてユーザが実行すべき動作を提示する選択項目、この選択項目を実行するための操作方法を示すアイコンを含む着信報知メッセージをカメラ画像に重畳してファインダに表示する制御部を設けた。【選択図】  図２
2005191899.tif 000002
【特許請求の範囲】
【請求項１】
動画像を撮影する動画像撮影モードおよび静止画像を撮影する静止画像撮影モードのうちいずれかの動作モードが選択され、起動処理がなされた後、入力した映像をカメラ画像としてファインダに表示させ、撮影開始指示に応じて撮影を開始するカメラと、
音声通話やメールを含む複数種類の情報が着信したことを検出する着信検出部と、
前記カメラの起動処理がされてから前記カメラが終了されるまでの間に、前記着信検出部が前記着信の発生を検出すると、着信音をミュートする処理を行うとともに、前記着信の種類と前記着信の発信者情報を含むメッセージ、このメッセージに基づいてユーザが実行すべき動作を提示する選択項目、この選択項目を実行するための操作方法を示すアイコンを含む着信報知メッセージを生成して、この着信報知メッセージを前記カメラ画像に重畳してファインダに表示する制御部を設けたことを特徴とするカメラ付き携帯通信機。
【請求項２】
制御部は、カメラの動画像撮影モードが選択されてから動画撮影開始指示が入力されるまでの間、および動画撮影開始指示が入力されてから動画撮影が終了されるまでの間に発生した着信を、着信報知メッセージをファインダに表示することでユーザに報知することを特徴とする請求項１に記載のカメラ付き携帯通信機。
【請求項３】
制御部は、着信の種類が音声通話である場合、ユーザが実行すべき動作として、電話に出る選択項目と動画撮影を継続する選択項目を着信報知メッセージに含めることを特徴とする請求項１に記載のカメラ付き携帯通信機。
【請求項４】
制御部は、着信の種類がメールである場合、ユーザが実行すべき動作として、メールを閲覧する選択項目と動画撮影を継続する選択項目を着信報知メッセージに含めることを特徴とする請求項１に記載のカメラ付き携帯通信機。
【請求項５】
制御部は、着信の種類がメールである場合、動画撮影を継続しながらユーザが実行すべき動作として、メールを閲覧する選択項目とメールを閲覧しない選択項目とを含めることを特徴とする請求項１に記載のカメラ付き携帯通信機。
【請求項６】
制御部は、着信報知メッセージに応じて、動画撮影を継続する選択項目が選択されたことを検出すると、前記着信報知メッセージをカメラ画像から消去するとともに、音声通話の相手方にメッセージを送信する処理を行い、電話に出る選択項目が選択されたことを検出すると、動画撮影を停止して着信応答処理を行うことを特徴とする請求項３に記載のカメラ付き携帯通信機。
【請求項７】
制御部は、メールを閲覧する選択項目が選択されたことを検出すると、メール本文をカメラ画像に重畳してファインダに表示することを特徴とする請求項５に記載のカメラ付き携帯通信機。
【請求項８】
制御部は、メールを閲覧する選択項目が選択されたことを検出すると、カメラ画像をファインダに対して縮小表示するとともに、前記カメラ画像を縮小表示することで得られたファインダの余白部分においてメール本文をスクロールさせながら表示することを特徴とする請求項５に記載のカメラ付き携帯通信機。
【請求項９】
制御部は、カメラを使用するときには前記カメラのレンズを露出させるために開けられ、前記カメラを使用しないときに前記カメラのレンズを保護するために閉じられるレンズカバーの開閉状態を監視しており、音声通話の着信を報知する着信報知メッセージが表示されているときに、前記レンズカバーが開状態から閉状態に移行されたことを検出すると、動画撮影を停止して着信応答処理を行うことを特徴とする請求項６に記載のカメラ付き携帯通信機。
【請求項１０】
制御部は、通話またはメール閲覧処理が終了したことを検出すると、ファインダにカメラ画像を表示させるとともに、動画撮影が再開されることを報知する動画撮影再開メッセージを前記カメラ画像に重畳して表示して動画撮影を再開させることを特徴とする請求項３または４に記載のカメラ付き携帯通信機。
【請求項１１】
動画撮影再開メッセージは、動画撮影が再開されるまでの時間を報知する時間情報を含んでおり、制御部は、前記時間情報で報知した時間が経過したことを検出した場合、および前記時間情報で報知した時間が経過する以前に入力された動画撮影再開指示を検出した場合に動画撮影を再開させることを特徴とする請求項１０に記載のカメラ付き携帯通信機。
【請求項１２】
制御部は、動画撮影再開後、この動画撮影が動画撮影再開メッセージで報知された時間情報の時間が経過したことを契機として再開された場合、再開された動画撮影を承認させるために、所定の操作入力をユーザに要求する動画撮影再開承認メッセージをカメラ画像に重畳して表示させることを特徴とする請求項１１に記載のカメラ付き携帯通信機。
【請求項１３】
制御部は、動画撮影が終了したことを検出すると、動画撮影中に着信した音声通話を表示させ、表示された音声通話の着信履歴のうち、指定された相手に発呼処理を行うことを特徴とする請求項３に記載のカメラ付き携帯通信機。
【請求項１４】
制御部は、ファインダに表示されたカメラ画像に応じて、着信報知メッセージの色を変更することを特徴とする請求項１に記載のカメラ付き携帯通信機。
【発明の詳細な説明】
【技術分野】
【０００１】
本発明は、静止画（写真）および動画像を撮影可能なカメラを備えた携帯通信機に関するものである。
【背景技術】
【０００２】
カメラ付き携帯通信機、例えば以下説明するカメラ付き携帯電話機は、静止画である写真を撮影する機能（以下、「フォト撮影」と記載する）のみならず、音声とともに動画を録画する機能（以下、「ムービー撮影」と記載する）を備えつつある。現在普及している携帯電話機は数十秒程度の動画像を撮影することができる機種が一般的である。しかし、将来は、例えば数分から数時間程度まで撮影時間が延長されることが考えられる。
【０００３】
長時間動画を撮影することが可能になった場合、ムービー撮影中に着信が発生したときの処理を考えておく必要がある。例えば、現行機種の場合、ムービー撮影中に着信が発生すると、着信時までの撮影画像を保存した上でムービー撮影を中止する。そして着信音を鳴らすとともにカメラファインダとして用いているサブディスプレイないしメインディスプレイに着信報知メッセージを表示する。
【０００４】
また、現行機種の中には、ムービー撮影開始前に「ムービー撮影優先」、「着信優先」のいずれかをユーザに選択させる機種もある。この機種は、ユーザが「ムービー撮影優先」を選択した場合、ムービー撮影中に発生した着信を「留守番電話サービス」に直接接続する。したがって、ムービー撮影中のユーザには着信があったことを報知できない。一方、ユーザが「着信優先」を選択した場合、ムービー撮影中に着信が発生すると、ムービー撮影を中止して着信音を鳴らすとともに、ファインダに着信報知メッセージを表示する。
【０００５】
ムービー撮影は動画を音声付きで撮影、録画する機能であるが、ムービー撮影はフォト撮影と異なり、いわゆる「撮りなおし」が効かないことが多い。したがって、現在の一般的な機種のごとく、ムービー撮影中に着信が発生した場合にムービー撮影が中断されてしまうのはユーザにとって問題である。また、ムービー撮影中に着信が発生した場合に着信があったことを報知するにしても、ムービー撮影中に着信音を鳴らすのは、録画画像に着信音まで録音されてしまうという問題が生じる。
【０００６】
特許文献１および特許文献２には、ムービー撮影中に着信が発生したときには着信音をミュートするとともに、ファインダに着信があった旨を表示する携帯電話が開示されている。また、特許文献２には、ムービー録画中に着信が発生したときに着信音をミュートするのみならず、バイブレータをオフにする点も示されている。より具体的には、特許文献１に開示された通信装置は、動画像を記録している最中に着信があったときには、録画中か否かチェックし、録画中ならば着信音を出力せずに、表示装置の状態表示領域に着信を表示し、使用者に録画中止の操作を促すように動作する。そして、使用者が発信／着信キーを押すと、ＣＰＵはマイク及びスピーカをオンにして通話状態にする。
【０００７】
一方、特許文献２に開示された電話付き撮像装置は、「ビデオカメラの撮影中の電話着信時に」着信音をミュートする手段を備えているもので、録画中の着信については、利用者により設定された「ビデオカメラ動作モード」と「着信モード」に基づいて処理する。「ビデオカメラ動作モード」は「モード変更なし」と「録画一時停止」から選択され、「着信モード」は「通常着信」と「録画着信」から選択される。「通常着信」設定時には、撮像装置は、着信時に着信音、バイブレータ、着信ＬＥＤなどを動作させる。そして、「録画着信」設定時には、撮像装置は、録画動作を妨害する着信音やバイブレータ、着信ＬＥＤを動作させずに、表示機に着信があったことを示すメッセージを表示することで着信を報知する。このとき、表示画面には相手先の電話番号や相手の写真などの画像情報、アクセス目的の重要度、用件が録画画面の一部に表示される。
【０００８】
【特許文献１】特開２０００−１５１８３２号公報
【０００９】
【特許文献２】特開平１１−３１７７９３号公報
【発明の開示】
【発明が解決しようとする課題】
【００１０】
ところで、特許文献１及び２には、着信応答せずにムービー撮影を継続するときの動作が開示されていない。着信応答せずにムービー撮影を継続する場合、発信者が電話呼び出し中のまま放置されるのは問題がある。したがって、ムービー録画中に着信が発生したときには、着信応答するのか、ムービー撮影を継続するのかユーザに速やかに決定させ、ムービー撮影を継続する場合には、現在電話に出られない旨を報知するメッセージを送信するとともに伝言メッセージを預かるなどの処理を行い、電話をかけてきた発信者に対して配慮する必要がある。
【００１１】
また、ムービー撮影中に着信があったときには、着信報知メッセージはムービー撮影している録画画像とともにファインダ画面に表示される。しかし、録画中にファインダに表示された着信報知メッセージにより撮影対象の一部が死角に入り、ムービー撮影が妨げられることも考えられる。したがって、ムービー撮影中に着信が発生したときには、着信応答するのか、ムービー撮影を継続するのかユーザに速やかに決定させ、ムービー撮影を継続する場合には、着信報知メッセージを速やかにファインダ画面から消去することで、ユーザがムービー撮影に集中できるようにする必要がある。
【００１２】
また、ムービー撮影中に着信があったときにファインダに表示される着信報知メッセージは、ムービー撮影の妨げにならないように表示する必要がある一方で、着信応答するのか、ムービー撮影を継続するのかユーザに速やかに決定させるため、ユーザが速やかに認識できるように、ファインダ画像に対して十分目立つものでなければならない。
【００１３】
また、ムービー撮影中はファインダ画面にはさまざまな色彩および明るさの被写体が表示される。このような場合、天候や被写体の色によっては着信報知メッセージが判別しがたい状況が生じることも考えられる。したがって、ファインダ画面に表示されている被写体の色や明るさに応じて、着信報知メッセージの色を変化させ、着信報知メッセージの視認性を改善することが必要である。
【００１４】
さらに、現在市場に普及しているカメラ付き携帯電話機は、ムービー撮影を行うにあたり、まず、カメラを起動後、「フォト撮影」と「ムービー撮影」の動作モードのうち「ムービー撮影」を選択しておいて、録画開始を指示することによりムービー撮影を開始するよう構成されている。一方、特許文献１及び２に開示の通信装置は、録画開始指示後の電話着信に対して、着信音を消すものであって、録画開始指示前の着信をいかに処理するかについては開示がない。ユーザは「ムービー撮影」モードを選択した時点で、録画開始の機会を狙っているのが通常であるので、ムービー撮影モード選択後、録画開始指示前に発生した着信により、ファインダ画面が着信を報知する画面に差し替えられてしまい、結果的に「シャッターチャンス」を逃してしまうのはユーザにとって不都合である。
【００１５】
本発明は上記のような課題を解決するためになされたものであり、ムービー撮影中に着信が発生したときに、着信応答するのか、あるいはムービー撮影を継続するのかユーザに速やかに決定させるカメラ付き携帯電話機を提供することを第一の目的とする。
【００１６】
また、本発明は、ムービー撮影中にファインダ画面に表示された着信報知メッセージによりムービー撮影が妨げられないカメラ付き携帯電話機を提供することを第二の目的とする。
【００１７】
また、本発明は、ムービー撮影中にファインダ画面に表示された着信報知メッセージをユーザが速やかに認識できるように、着信報知メッセージの視認性を改善したカメラ付き携帯電話機を提供することを第三の目的とする。
【００１８】
また、本発明は、ムービー撮影モード選択後、録画開始指示までに発生した着信にムービー撮影開始を妨げられないカメラ付き携帯電話機を提供することを第四の目的とする。
【課題を解決するための手段】
【００１９】
この発明にかかるカメラ付き携帯通信機は、動画像を撮影する動画像撮影モードおよび静止画像を撮影する静止画像撮影モードのうちいずれかの動作モードが選択され、起動処理がなされた後、入力した映像をカメラ画像としてファインダに表示させ、撮影開始指示に応じて撮影を開始するカメラと、音声通話やメールを含む複数種類の情報が着信したことを検出する着信検出部と、前記カメラの起動処理がされてから前記カメラが終了されるまでの間に、前記着信検出部が前記着信の発生を検出すると、着信音をミュートする処理を行うとともに、前記着信の種類と前記着信の発信者情報を含むメッセージ、このメッセージに基づいてユーザが実行すべき動作を提示する選択項目、この選択項目を実行するための操作方法を示すアイコンを含む着信報知メッセージを生成して、この着信報知メッセージを前記カメラ画像に重畳してファインダに表示する制御部を設けたものである。
【発明の効果】
【００２０】
この発明にかかるカメラ付き携帯通信機は、動画像を撮影する動画像撮影モードおよび静止画像を撮影する静止画像撮影モードのうちいずれかの動作モードが選択され、起動処理がなされた後、入力した映像をカメラ画像としてファインダに表示させ、撮影開始指示に応じて撮影を開始するカメラと、音声通話やメールを含む複数種類の情報が着信したことを検出する着信検出部と、前記カメラの起動処理がされてから前記カメラが終了されるまでの間に、前記着信検出部が前記着信の発生を検出すると、着信音をミュートする処理を行うとともに、前記着信の種類と前記着信の発信者情報を含むメッセージ、このメッセージに基づいてユーザが実行すべき動作を提示する選択項目、この選択項目を実行するための操作方法を示すアイコンを含む着信報知メッセージを生成して、この着信報知メッセージを前記カメラ画像に重畳してファインダに表示する制御部を設けたので、単に着信があったことを報知するのではなく、ユーザが実行可能な選択肢とその操作方法を示すアイコンを表示させることにより、動画像撮影を継続するのか否かをユーザに速やかに決定させることができる。また、着信報知メッセージはカメラ画像に重畳されることにより、被写体が着信報知メッセージに覆い隠されてしまうことがなくなるため、動画像撮影中に着信が発生しても、さしあたりユーザは動画像撮影を継続することができる。
【発明を実施するための最良の形態】
【００２１】
実施の形態１．
図１はカメラ付き携帯電話機１の外観を示す外観図である。図１に示す携帯電話機は現在市場にて広く普及している「２つ折れタイプ」と呼ばれる型であり、「上筐体」と「下筐体」の２つの筐体が折りたたみ自在に連結されて構成されている。図１（ａ）は上筐体と下筐体を開いた状態を示す斜視図である。図１（ａ）に図示されるとおり、上筐体２には液晶ディスプレイ３およびスピーカ４が設けられている。液晶ディスプレイ３の上部には、ＴＶ電話を行う際に使用される自分撮り用のカメラ５が配置される。自分撮り用のカメラ５は後述するように「カメラＢ」と記載する。下筐体６にはキー操作部７とマイク８が設けられている。キー操作部７は、ダイヤルキーや方向キーを含む。上筐体２と下筐体６はヒンジ部９で折りたたみ自在に連結されており、このヒンジ部９の内部を上筐体２と下筐体６に内蔵された回路基板を電気的に接続する配線が通される。
【００２２】
図１（ｂ）は上筐体２と下筐体６を閉じた携帯電話機を上筐体側から見た状態を示す斜視図である。上筐体２と下筐体６を閉じた状態で露出する面、つまり上筐体２の液晶ディスプレイ３が設けられた面の背面側には液晶ディスプレイ３よりもやや小型の液晶ディスプレイ１０が設けられている。これらの２種類の液晶ディスプレイを区別するために、上筐体２を開いたときに露出する液晶ディスプレイ３を「メインディスプレイ」、上筐体２を閉じたときに露出する液晶ディスプレイ１０を「サブディスプレイ」と記載する。また、図１（ｃ）は上筐体と下筐体を閉じた携帯電話機を下筐体側から見た状態を示す斜視図である。下筐体６のキー操作部７が設けられた面の背面側には相手撮り用のカメラ１１と、このカメラ１１が使用されないときにカメラ１１を保護するレンズカバー１２が設けられている。以後、相手撮り用のカメラ１１は後述するように「カメラＡ」と記載する。
【００２３】
カメラＡ１１およびカメラＢ５は、少なくとも被写体からの光を集光するレンズと、撮像面に結像された光を光電変換して撮像信号に変換するＣＣＤ（Charge Coupled Device  電荷結合素子）より構成される。現在市販されているカメラ付き携帯電話機においては、相手撮り用のカメラＡ１１の方が自分撮り用のカメラＢ５よりも有効画素数が多い高性能なカメラであることが一般的である。そして、筐体を閉じた状態で撮影する２つ折れタイプの携帯電話機の場合、相手撮り用のカメラＡ１１を用いて撮影した画像はサブディスプレイ１０に表示され、自分撮り用のカメラＢ５を用いて撮影した画像はメインディスプレイ３に表示されるという前提で説明する。つまり、カメラＡ１１を用いて撮影するときにはサブディスプレイ１０がファインダとなり、カメラＢ５を用いて撮影するときにはメインディスプレイ３がファインダとなる。
【００２４】
図２は本発明の実施の形態１にかかるカメラ付き携帯電話機の構成を示すブロック図である。図２において図１と同一の符号は同一または相当部分を示す。図２に示すカメラＡ１１は図１に示す相手撮り用カメラ１１を、カメラＢ５は自分撮り用のカメラ５に対応するものである。レンズカバー開閉検出部１３はカメラＡ１１のレンズ部分を保護するレンズカバー１２の開閉状態を検出するものであり、レンズカバー１２が閉状態から開状態に移行したときには「開信号」を、開状態から閉状態に移行したときには「閉信号」をＣＰＵ１４に出力する。ＣＰＵ１４はレンズカバー開閉検出部１３から「開信号」が入力されたときには、カメラＡ１１を起動させるカメラ起動信号をカメラ・マイク・スピーカ制御部１５に出力する。逆にＣＰＵ１４はレンズカバー開閉検出部１３から「閉信号」が入力されたときには、カメラＡ１１を終了させるカメラオフ信号をカメラ・マイク・スピーカ制御部１５に出力する。カメラ・マイク・スピーカ制御部１５は、カメラＡ１１、カメラＢ５、マイク８、スピーカ４、イヤホン端子１６のオン・オフを制御するものである。カメラ・マイク・スピーカ制御部１５は、ＣＰＵ１４からの「開信号」または「閉信号」に応じてカメラＡ１１を起動・終了させる。
【００２５】
レンズカバー１２が開けられたことに連動してカメラＡ１１が起動されると、カメラＡ１１はレンズにより集光された被写体からの光をＣＣＤにより光電変換して撮像信号を生成するとともに、撮像信号をカメラ画像処理部１７に出力する。カメラ画像処理部１７はカメラＡ１１からの撮像信号に所定の信号処理を施して規格化された映像信号に変換する。ＣＰＵ１４はカメラ画像処理部１７からの映像信号に基づいてファインダ画面表示部１８、ディスプレイ駆動回路１９を制御し、サブディスプレイ１０に映像信号を表示させる。ユーザはサブディスプレイ１０を撮影画像を確認するファインダとして用いる。ファインダ画面表示部１８は、カメラ画像処理部１７からの映像信号に、ユーザに報知する各種メッセージを重畳して表示する処理や、撮影画像に応じてメッセージの色を変更する処理を行う。ディスプレイ駆動回路１９は、ファインダ画面表示部１８により作られた画像を表示させるよう、ファインダとなる液晶ディスプレイを駆動する処理を行う。
【００２６】
ファインダ（本実施例ではサブディスプレイ１０）にカメラ画像が表示されている状態で、ユーザは操作部２０を介してカメラの動作モードを「フォト撮影」か「ムービー撮影」のいずれかから選択する。フォト撮影を選択すると、ユーザはファインダに表示された画像を見ながらシャッターボタンを押すことで撮影を行う。ＣＰＵ１４は、シャッターボタンの押下に応じて撮影された映像信号をメモリ２１に記憶させる。一方、ムービー撮影を選択すると、ＣＰＵ１４はカメラ・マイク・スピーカ制御部１５を制御して、マイク８をオンにして音声情報を取り込むとともに、イヤホン端子１６をオンにして、イヤホン接続時にはマイク８が取り込んだ音声をイヤホンを介して確認できるようにする。そして、録画中に着信音などが鳴らないようにスピーカ４をオフにする。このように、ムービー撮影モードに選択された時点で、マイクオン、スピーカオフ、イヤホンが接続されていればイヤホンオンと制御される。
【００２７】
ムービー撮影モードに選択された時点で、マイクオン、スピーカオフ、イヤホンオンと制御されることにより、ユーザは被写体から発せられる音が良好に録音できるか、端末に接続されたイヤホンなどを介して事前に確認することができるとともに、録画開始前に発生した着信によりシャッターチャンスを逃すという問題を回避することができる。そして、ユーザが録画開始ボタンを押すとムービー撮影が開始される。録画開始ボタンの押下に応じて、ＣＰＵ１４は、録画終了が指示されるまでの間、カメラＡ１１が撮影した映像信号を、マイク８が取り込んだ音声信号とともにメモリ２１に記憶させる処理を継続する。なお、図２に示す操作部２０とは、図１のキー操作部７のほか携帯電話機筐体の側面に設けられたサイドボタンなども含む。
【００２８】
入出力音声信号処理部２２は、マイク８から入力された音声情報を符号化することにより、規格化された音声信号に変換する処理や、アンテナ２３が受信して無線部２４が復調した無線信号に含まれる音声信号を復号化してスピーカ４から出力する音声情報に変換する処理を行う音声コーデックを含む。ムービー撮影中に、マイク８を介して入力された音声情報は、入出力音声信号処理部２２にて規格化された音声信号に変換された後、映像信号とともにメモリ２１に記憶される。一方、通話時にマイク８を介して入力された音声情報は、入出力音声信号処理部２２にて規格化された音声信号に変換された後、無線部２４にて変調されてアンテナ２３より外部の無線通信網に送信される。このほか、入出力音声信号処理部２２は音源に登録された、例えば着信音や警告音など各種音声をスピーカ４から出力させる処理も行う。
【００２９】
図３は、本発明の実施の形態１にかかるカメラ付き携帯電話機が実行するムービー撮影中の音声通話が着信した場合の処理を示すフローチャートである。以下、図３を用いて、本発明のカメラ付き携帯電話機の動作について説明する。なお実施の形態１において、単に「着信」と記載した場合には、音声通話の着信を意味するものとする。レンズカバー開閉検出器１３から出力された「開信号」により、ＣＰＵ１４はレンズカバー１２が開けられたことを検出する。そして、ＣＰＵ１４は、カメラ・マイク・スピーカ制御部１５を制御して、カメラＡ１１をオンにする（ＳＴＥＰ１）。そして、カメラＡ１１が取得した画像をファインダであるサブディスプレイ１０に表示させる（ＳＴＥＰ２）。次に、ファインダにカメラＡ１１の画像が表示された状態で、ユーザは、「フォト撮影」と「ムービー撮影」のうちいずれかひとつのカメラ動作モードを選択する（ＳＴＥＰ３）。フォト撮影が選択された場合には（ＳＴＥＰ３でＮＯ）、ＣＰＵ１４はフォト撮影モードに移行し、シャッターが押下されるまで待機する（ＳＴＥＰ４）。一方、ムービー撮影が選択された場合には（ＳＴＥＰ３でＹＥＳ）、ＣＰＵ１４は、カメラ・マイク・スピーカ制御部１５を制御してスピーカ４をオフにするとともに、マイク８をオンにする（ＳＴＥＰ５）。そして、ファインダにカメラＡ１１の画像が表示された状態で、録画開始指示が入力されるまで待機する（ＳＴＥＰ６でＮＯ）。ムービー撮影モード選択後、録画開始指示が入力されるまでに着信が発生した場合の処理は図６に基づいて後述する。
【００３０】
キー操作部７ないし携帯電話機の筐体側面に設けられた録画開始スイッチが押下されたことを検出すると（ＳＴＥＰ６でＹＥＳ）、ＣＰＵ１４は、カメラ・マイク・スピーカ制御部１５を制御して一時的にスピーカ４をオンにするとともに、入出力音声信号処理部２２によってスピーカ４から録画開始音を鳴動させてムービー撮影を開始させる。録画開始音を鳴動させた後、スピーカ４はオフにされる。ムービー撮影が開始されると、録画終了指示が入力されるまで着信発生の有無が監視される（ＳＴＥＰ７でＮＯ）。ＣＰＵ１４が着信の発生を検出すると（ＳＴＥＰ７でＹＥＳ）、着信が発生したことをムービー撮影中のユーザに報知する着信報知メッセージをファインダ画面に重畳表示する（ＳＴＥＰ８）。ムービー撮影モードが選択されたときに、スピーカ４はオフにされているので、スピーカ４から着信音は鳴らないものの、イヤホンが接続されているときにはイヤホンに着信音を出力してもよい。着信報知メッセージは図４に示すとおりファインダ画面に表示される。図４の詳細な説明は後述する。
【００３１】
ファインダに表示された着信報知メッセージを見て着信が発生したことを認識したユーザが電話に出る場合、着信報知メッセージで指定されたボタンの押下やレンズカバーを閉じるなどの何らかの着信応答処理を行う（ＳＴＥＰ９でＹＥＳ）。ＣＰＵ１４はユーザにより実行された着信応答処理を検出すると、ムービー撮影を停止してカメラをオフにするとともに（ＳＴＥＰ１０）、ムービー撮影が停止されるまでに録画された録画画像を保存し（ＳＴＥＰ１１）、着信応答処理する（ＳＴＥＰ１２）。ユーザによる着信応答処理の詳細については図５を用いて後述する。一方、ユーザが電話に出ずにムービー撮影を継続する場合、着信報知メッセージで指定されたボタンの押下等の操作を行う。ＣＰＵ１４は、ユーザにより実行されたムービー撮影継続動作を検出すると（ＳＴＥＰ９でＮＯ）、ムービー撮影を継続しながら、ファインダから着信報知メッセージを消去する（ＳＴＥＰ１３）。そして、電話に出られない旨を相手に通知するための応答メッセージを送信した後、通話回線を切断する（ＳＴＥＰ１４）。ユーザにより録画終了指示が入力されるまで、ムービー撮影は継続される（ＳＴＥＰ１５でＮＯ）。ユーザにより録画終了指示が入力されると、ＣＰＵ１４はムービー撮影を停止して（ＳＴＥＰ１６）、ＳＴＥＰ５の新たな録画開始指示の入力を待つ。
【００３２】
図４は、ムービー撮影中に発生した着信を報知するための着信報知メッセージを表示したファインダ画面を示す平面図である。図４（ａ）は、着信が発生する以前のムービー撮影時におけるファインダ画面であり、図４（ｂ）は、着信報知メッセージが表示されたムービー撮影時のファインダ画面を示す。図４（ａ）、（ｂ）に図示されるとおり、ファインダとして機能しているサブディスプレイ１０に録画中の画像が表示されており、ファインダ画面に録画中であることを示す録画アイコン２５が表示されている。そして、携帯電話機筐体の側面にボタンＡ２６とボタンＢ２７が配置されている。ムービー撮影中に着信が発生したとき、ファインダ画面には図４（ｂ）に示すとおり、着信報知メッセージ２８（破線で囲まれた部分）がファインダ画面に表示される。
【００３３】
本発明で意味するところの「着信報知メッセージ」２８とは、例えば、「−−さんから電話がありました。電話に出ますか？」というメッセージ２９（一点鎖線で囲まれた部分）と、「電話に出る」、「録画を続ける」といったユーザが実行すべき動作の選択肢３０（２点鎖線で囲まれた部分）と、選択肢で示された動作を実行するためのボタンを示すアイコン３１（円で囲まれた部分）を含む。そして、単にユーザに着信があったことを報知するのみならず、「電話に出る」、「録画を続ける」の選択肢のうち、いずれかの動作を速やかに実行するようユーザに促すものである。上記のような着信報知メッセージ２８は、図４（ｂ）に図示されるとおり、カメラ画像に重畳されて表示されるので、着信報知メッセージが表示されている間も被写体を把握することができる。したがって、ファインダ画面の一部をメッセージを表示するために分割する場合と異なり、表示されたメッセージの死角に被写体が入ることはないので、ムービー撮影を行う上で支障は生じない。
【００３４】
図５は、本発明の実施の形態１にかかるカメラ付き携帯電話機が実行する着信応答処理の一例を示すフローチャートである。ＣＰＵ１４が着信の発生を検出すると（ＳＴＥＰ１）、ムービー撮影モードが選択されているか判断し（ＳＴＥＰ２）、ムービー撮影モードが選択されていない場合には（ＳＴＥＰ２でＮＯ）、そのまま着信応答処理を実行させて（ＳＴＥＰ８）、通話を可能にする（ＳＴＥＰ９）。一方、ムービー撮影モードが選択されている場合には（ＳＴＥＰ２でＹＥＳ）、ユーザにより実行される着信応答処理を検出する処理を実行する。まず、図４に図示される着信報知メッセージに従って実行されたキー操作を検出すると（ＳＴＥＰ３でＹＥＳ）、ＣＰＵ１４はムービー録画中であるか判断し、ムービー録画中である場合には（ＳＴＥＰ６でＹＥＳ）、ムービー撮影を停止させて（ＳＴＥＰ７）、ＳＴＥＰ８以降の着信応答処理を行う。一方、ムービー録画中でない場合には（ＳＴＥＰ６でＮＯ）、そのままＳＴＥＰ８以降の着信応答処理を実行する。
【００３５】
着信報知メッセージにて指定されたキー操作の検出はなかったものの（ＳＴＥＰ３でＮＯ）、レンズカバー１２が閉じられたことを検出した場合には（ＳＴＥＰ４でＹＥＳ）、ＣＰＵ１４はムービー録画中であるか判断し、ムービー録画中である場合には（ＳＴＥＰ６でＹＥＳ）、ムービー撮影を停止させて（ＳＴＥＰ７）、ＳＴＥＰ８以降の着信応答処理を行う。一方、ムービー録画中でない場合には（ＳＴＥＰ６でＮＯ）、そのままＳＴＥＰ８以降の着信応答処理を実行する。また、キー操作およびレンズカバー閉鎖は検出されなかったものの（ＳＴＥＰ４でＮＯ）、２つ折れ携帯電話機の上筐体２と下筐体６が開けられたことを検出すると（ＳＴＥＰ５でＹＥＳ）、ＣＰＵ１４はムービー録画中であるか判断し、ムービー録画中である場合には（ＳＴＥＰ６でＹＥＳ）、ムービー撮影を停止させて（ＳＴＥＰ７）、ＳＴＥＰ８以降の着信応答処理を行う。一方、ムービー録画中でない場合には（ＳＴＥＰ６でＮＯ）、そのままＳＴＥＰ８以降の着信応答処理を実行する。
【００３６】
ＳＴＥＰ３のキー操作、ＳＴＥＰ４のレンズカバー閉鎖、ＳＴＥＰ５の筐体開放のうち、いずれの処理も実行されなかった場合には（ＳＴＥＰ５でＮＯ）、上記着信応答処理のいずれかの実行待ちの状態に戻る。このように、ムービー撮影中の着信応答のスイッチとなるキー操作、レンズカバー閉鎖、筐体開放の処理は、ムービー撮影中のユーザが比較的実行しやすい処理を、ムービー撮影中の着信応答のスイッチとして割り当てたものである。つまり、キー操作、レンズカバー閉鎖、筐体開放の着信応答処理は、ムービー撮影モード選択時、またはムービー撮影中であって、着信があった場合に限り、端末を着信応答させるスイッチとして機能するものであり、ムービー撮影時以外に、キー操作、レンズカバー閉鎖、端末開放などの処理を行っても端末はオフフック状態にはならない。このように、ムービー撮影中のユーザが比較的実行しやすい処理を、ムービー撮影モード選択時、ムービー撮影中の着信応答のスイッチとして割り当てることにより、端末の操作性が改善される。
【００３７】
なお、図４（ｂ）に示す着信報知メッセージがファインダに表示された状態で、所定時間（例えば、５〜１０秒程度）内に、ＳＴＥＰ３のキー操作、ＳＴＥＰ４のレンズカバー閉鎖、ＳＴＥＰ５の筐体開放のいずれの着信応答処理も実行されなかった場合には、ユーザがムービー撮影の継続を選択したものと判断して、発信者にメッセージを送信し、通話回線を切断するように構成してもよい。このように、所定時間内に何ら着信応答処理がなされないときにはムービー撮影を継続するように設定しておくことにより、ムービー撮影を継続するためにいずれかのキーを押下するような操作は不要となり、キー押下による「手ぶれ」により動画撮影画像が乱れるという問題を防止することができる。
【００３８】
図６は、ムービー撮影モード選択時であって、ムービー録画開始前に発生した着信処理の一例を示すフローチャートである。図６に示す処理は、円で囲まれた「Ａ」において図３に示す一連の処理と連結されているため、図３を参照しながら説明する。図３のＳＴＥＰ３においてムービー撮影モードが選択された後、録画開始指示が入力される以前に（ＳＴＥＰ６でＮＯ）、着信が発生しなければ（ＳＴＥＰ１７でＮＯ）、そのまま録画開始指示が入力されるまで待機する。一方、ムービー撮影モード選択後、録画開始以前に着信が発生した場合（ＳＴＥＰ１７でＹＥＳ）、図６に示されるように、着信が発生したことをムービー撮影中のユーザに報知する着信報知メッセージをファインダ画面に重畳表示する（ＳＴＥＰ１８）。ファインダに表示された着信報知メッセージを見て着信が発生したことを認識したユーザが電話に出る場合、着信報知メッセージで指定されたボタンの押下やレンズカバーを閉じるなどの何らかの着信応答処理を行う（ＳＴＥＰ１９でＹＥＳ）。
【００３９】
ＣＰＵ１４はユーザにより実行された着信応答処理を検出すると、着信応答処理して通話可能状態にする（ＳＴＥＰ２３）。そして、通話が終了したことを検出すると、再度ムービー撮影モードに戻り、録画開始指示が入力されるまで待機する（ＳＴＥＰ２２）。一方、ユーザが電話に出ない場合、着信報知メッセージで指定されたボタンの押下等の操作を行う。ＣＰＵ１４は、着信報知メッセージで指定されたボタン押下などの操作を検出すると（ＳＴＥＰ１９でＮＯ）、ＣＰＵ１４はユーザが電話に出ないものと判断し、ファインダから着信報知メッセージを消去するとともに（ＳＴＥＰ２０）、電話に出られない旨を相手に通知するための応答メッセージを送信した後、通話回線を切断する（ＳＴＥＰ２１）。そして、そのまま録画開始指示が入力されるまで待機する（ＳＴＥＰ２２）。
【００４０】
図７は、本発明の実施の形態１にかかるカメラ付き携帯電話機が実行する着信報知メッセージのファインダ表示処理の一例を示すフローチャートである。図７に示すファインダ表示処理は、図３、ＳＴＥＰ８の処理をより詳細に示すものである。図７において、着信を検出すると（ＳＴＥＰ１）、着信報知メッセージの作成を行う（ＳＴＥＰ２）。着信報知メッセージの作成は、メモリ２１に登録されている、例えば「−−さんから電話が入っています、電話に出ますか？」というような定型文を読み出し、さらに、受信信号に含まれる発信者電話番号に基づいて電話帳を検索し、特定した発信者氏名を定型文に埋め込むことにより行う。なお、受信信号に含まれる発信者番号が電話帳に登録されていない場合には、発信者番号をそのままメッセージに追加して着信報知メッセージを作成すればよい。次にＳＴＥＰ２で作成された着信報知メッセージをファインダ（サブディスプレイ１０）に表示するのに必要なメッセージ表示領域を決定する（ＳＴＥＰ３）。メッセージ表示領域を決定すると、そのメッセージ表示領域内の録画画像の背景色、具体的にはメッセージ表示領域内の録画画像の色相、明度、彩度を認識する（ＳＴＥＰ４）。
【００４１】
この録画画像の背景色の色相、明度と彩度を認識する処理は、表示領域を複数区画に分割し、各区画の色相、明度、彩度を認識した上で平均することにより特定する。ＳＴＥＰ４にて表示領域内の背景色を認識すると、背景色と初期設定の文字色（例えば白）の差分を検出する（ＳＴＥＰ５）。初期設定の文字色とは、背景色に応じて変更する前の文字色であり、例えば現行機種ではメッセージの色は白や黒で設定されていることが一般的である。次に、背景色と初期設定の文字色の差分が所定の基準値以上あるか判断する（ＳＴＥＰ６）。ＳＴＥＰ６の処理は初期設定の文字色で着信報知メッセージを表示した場合に、背景色に対して十分な視認性、誘目性が確保されているか確認するための処理である。背景色と初期設定の文字色の差分が基準値以上である場合には（ＳＴＥＰ６でＹＥＳ）、初期設定の文字色は背景色に対して色相環上の「同系色」ではなく十分目立つので、初期設定の文字色で着信報知メッセージをファインダ上に表示する（ＳＴＥＰ７）。
【００４２】
一方、背景色と初期設定の文字色の差分が基準値以下である場合には（ＳＴＥＰ６でＮＯ）、初期設定の文字色は背景色に対して色相環上の「同系色」（類似色）であると考えられる。この場合、初期設定の文字色で着信報知メッセージをファインダ上に表示すると、着信報知メッセージがファインダ画像に対して目立たないので、文字の色相、明度と彩度を変更する（ＳＴＥＰ８）。そして、変更した文字色で着信報知メッセージをファインダ上に表示する（ＳＴＥＰ９）。上記説明の処理を行うことにより、ファインダに表示された録画画像、つまり背景画像に対して十分な視認性、誘目性を有する着信報知メッセージを表示できるため、ムービー撮影中のユーザはファインダ画像の色や明るさ、つまり撮影環境にかかわらず着信報知メッセージを速やかに認識することができる。
【００４３】
上記説明のように、本願発明にかかるカメラ付き携帯電話機は、ムービー撮影中に着信があったときに、例えば図４（ｂ）に示す、「−−さんから電話がありました。電話に出ますか？」というメッセージ２９と、「電話に出る」、「録画を続ける」といったユーザが実行すべき動作の選択肢３０と、その動作を実行するためのボタンを示すアイコン３１を含む着信報知メッセージ２８をファインダに表示する。したがって、単にユーザに着信があったことを報知するのみならず、「電話に出る」、「録画を続ける」の選択肢のうち、いずれの動作を実行するのかユーザに速やかに決定させることができるという効果がある。
【００４４】
また、本願発明にかかるカメラ付き携帯電話機は、上記説明の着信報知メッセージに従ってユーザがムービー撮影を選択すると、ファインダから着信報知メッセージが消去され、発信者に対しては、現在電話には出られない旨報知する応答メッセージを送信される。したがって、ユーザは着信報知メッセージに妨げられずにムービー撮影に集中でき、発信者は呼び出し中のまま待たされずにすむという効果がある。
【００４５】
また、本願発明にかかるカメラ付き携帯電話機は、ムービー撮影中に着信があったときに、上記説明の着信報知メッセージを録画画像に重畳するようにファインダに表示するので、録画画像の一部または全部が着信報知メッセージの死角に入ってしまうという問題は生じない。このように、着信報知メッセージはムービー撮影の妨げにならないように表示されるので、ユーザはさしあたりムービー撮影を続けながら着信報知メッセージを認識することができるという効果がある。
【００４６】
また、本願発明にかかるカメラ付き携帯電話機は、着信報知メッセージの色を背景色の色相、明度、彩度に応じて変更する。したがって、ファインダに表示された録画画像、つまり背景画像に対して十分な視認性、誘目性を有する着信報知メッセージを表示でき、ムービー撮影中のユーザは撮影環境にかかわらず着信報知メッセージを速やかに認識することができるという効果がある。
【００４７】
また、本願発明にかかるカメラ付き携帯電話機は、ユーザによりムービー撮影モードが選択された時点でスピーカ４がオフにされるとともに、ファインダ画面に着信報知メッセージが重畳表示されるため、ムービー撮影モード選択後、録画開始指示前に発生した着信により、「シャッターチャンス」を逃してしまうという問題が生じることを抑制できるという効果がある。
【００４８】
なお、上記説明に係るカメラ付き携帯電話機は、図３のＳＴＥＰ１においてカメラが起動されてから、ＳＴＥＰ３においてムービー撮影モードが選択されたことを契機として、着信報知メッセージをファインダに表示することで着信を報知するＳＴＥＰ７〜ＳＴＥＰ１４にいたる処理を実行するように構成されていた。しかし、ファインダに表示されたカメラ画像を見ながら撮影のタイミングを計っているときに、ファインダ画面が着信を報知する画面に差し替えられることで撮影が妨げられるのは、ムービー撮影時のみならずフォト撮影時でも同様である。したがって、図３のＳＴＥＰ３においてフォト撮影モードが選択されたときに、ＳＴＥＰ７〜ＳＴＥＰ１４の処理を実行させるように構成してもよい。
【００４９】
実施の形態２．
実施の形態１においては、ムービー撮影中に音声通話が着信した場合の処理について説明した。以下、ムービー撮影中にメールが着信した場合の処理について説明する。図８は、本発明の実施の形態２にかかるカメラ付き携帯電話機が実行するムービー撮影中にメールが着信した場合の処理を示すフローチャートである。以下、図８を用いて、本発明のカメラ付き携帯電話機の動作について説明する。なお、図８に示されるＳＴＥＰ１〜ＳＴＥＰ６までの処理は、図３に示すＳＴＥＰ１〜ＳＴＥＰ６までの処理と同様であるので説明は省略する。なお、ムービー撮影モード選択後、録画開始指示が入力されるまでにメール着信が発生した場合の処理は図１０に基づいて後述する。以後の説明において、単に「着信」と記載した場合には、メールの着信を意味するものとする。
【００５０】
ムービー撮影が開始されると、録画終了指示が入力されるまでメール着信発生の有無が監視される（ＳＴＥＰ７でＮＯ）。ＣＰＵ１４が着信の発生を検出すると（ＳＴＥＰ７でＹＥＳ）、着信が発生したことをムービー撮影中のユーザに報知するメール着信報知メッセージ３２をファインダ画面に重畳表示する（ＳＴＥＰ８）。メール着信報知メッセージ３２は図９に示すとおりファインダ画面に表示される。図９の詳細な説明は後述する。なお、メール着信報知メッセージも、実施の形態１において説明した処理と同様の処理により、背景色に対して十分誘目性を帯びるように色相、明度、彩度が変更される。ファインダに表示されたメール着信報知メッセージ３２を見て、着信が発生したことを認識したユーザがメールを閲覧する場合、メール着信報知メッセージ３２で指定されたボタンの押下やレンズカバーを閉じるなどの何らかのメール閲覧処理を行う（ＳＴＥＰ９でＹＥＳ）。ＣＰＵ１４はユーザにより実行されたメール閲覧処理を検出すると、ムービー撮影を停止するとともに（ＳＴＥＰ１０）、ムービー撮影が停止されるまでに録画された録画画像を保存し（ＳＴＥＰ１１）、メール閲覧画面を起動する（ＳＴＥＰ１２）。
【００５１】
一方、ユーザがメールは後で閲覧することにして、ムービー撮影を継続する場合、メール着信報知メッセージで指定されたボタンの押下等の操作を行う（ＳＴＥＰ９でＮＯ）。ＣＰＵ１４は、ユーザにより実行されたムービー撮影継続動作を検出すると、ムービー撮影を継続しながら、ファインダからメール着信報知メッセージ３２を消去する（ＳＴＥＰ１３）。そして、ユーザにより録画終了指示が入力されるまで、ムービー撮影は継続される（ＳＴＥＰ１４でＮＯ）。ユーザにより録画終了指示が入力されると（ＳＴＥＰ１４でＹＥＳ）、ＣＰＵ１４はムービー撮影を停止して、ＳＴＥＰ６の新たな録画開始指示が入力されるまでそのまま待機する。
【００５２】
図９は、ムービー撮影中に発生したメール着信を報知するためのメール着信報知メッセージ３２（破線で囲まれた部分）を表示したファインダ画面を示す平面図である。なお、図９において、図４と同一の符号は同一または相当部分を示すので説明は省略する。図９に示すファインダには、「−−さんからメールが届いています。メールを見ますか？」というメッセージ３３（一点鎖線で囲まれた部分）と、「メール閲覧」、「録画を続ける」といったユーザが実行すべき動作の選択肢３４（二点鎖線で囲まれた部分）と、選択肢３４で示された動作を実行するためのボタンを示すアイコン３５（円で囲まれた部分）を含むメール着信報知メッセージ３２が表示されている。このメール着信報知メッセージ３２は、単にユーザにメールの着信があったことを報知するのみならず、「メール閲覧」、「録画を続ける」の選択肢３４のうち、いずれかの動作を速やかに実行するようユーザに促すものである。メール着信報知メッセージ３２は、図４に示す着信報知メッセージ２８と同様、カメラ画像に重畳されて表示されるので、メール着信報知メッセージが表示されている間も被写体を把握することができる。したがって、ファインダ画面の一部をメッセージを表示するために分割する場合と異なり、表示されたメッセージの死角に被写体が入ることはないので、ムービー撮影を行う上で支障は生じない。
【００５３】
図１０は、ムービー撮影モード選択時であって、ムービー録画開始前に発生したメール着信処理の一例を示すフローチャートである。図１０に示す処理は、円で囲まれた「Ｄ」において図８に示す一連の処理と連結されているため、図８を参照しながら説明する。図８のＳＴＥＰ３においてムービー撮影モードが選択された後、録画開始指示が入力される以前に（ＳＴＥＰ６でＮＯ）、着信が発生しなければ（ＳＴＥＰ１６でＮＯ）、そのまま録画開始指示が入力されるまで待機する。一方、ムービー撮影モード選択後、録画開始以前に着信が発生した場合（ＳＴＥＰ１６でＹＥＳ）、図１０に示されるように、着信が発生したことをムービー撮影中のユーザに報知する着信報知メッセージをファインダ画面に重畳表示する（ＳＴＥＰ１８）。ファインダに表示された着信報知メッセージを見て着信が発生したことを認識したユーザがメールを閲覧する場合、着信報知メッセージで指定されたボタンの押下やレンズカバーを閉じるなどの何らかのメール閲覧処理を行う（ＳＴＥＰ１８でＹＥＳ）。
【００５４】
ＣＰＵ１４はユーザにより実行されたメール閲覧処理を検出すると、メール閲覧画面を起動して、受信したメールを表示する（ＳＴＥＰ２１）。そして、メールを読み終わったユーザがメール閲覧画面を終了すると（ＳＴＥＰ２２）、再度ムービー撮影モードに戻り、録画開始指示が入力されるまで待機する（ＳＴＥＰ２０）。一方、ユーザがメールを閲覧しない場合、着信報知メッセージで指定されたボタンの押下等の操作を行う。ＣＰＵ１４は、着信報知メッセージで指定されたボタン押下などの操作を検出すると（ＳＴＥＰ１８でＮＯ）、ＣＰＵ１４はユーザがメールを見ないものと判断し、ファインダから着信報知メッセージを消去するとともに（ＳＴＥＰ１９）、そのまま録画開始指示が入力されるまで待機する（ＳＴＥＰ２０）。
【００５５】
上記説明のメール着信処理も、着信音が録画画像に録音されてしまう問題を防止する必要があるし、ムービー撮影を継続するのかメールを閲覧するのか選択する余地をユーザに与えることは有効である。したがって、基本的には実施の形態１にて説明した音声通話着信処理と同様の処理を行えばよい。しかし、メールの着信処理は音声通話の着信処理と異なり、着信応答して通話し、または、応答メッセージを送信して通話を断るべき相手方が存在しないので、「応答メッセージを送信して通話回線を切断する」処理は行わない。
【００５６】
上記説明のように、本願発明にかかるカメラ付き携帯電話機は、ムービー撮影中にメール着信があったときであっても、例えば図９に示す、「−−さんからメールが届いています。メールを見ますか？」というメッセージ３３と、「メール閲覧」、「録画を続ける」といったユーザが実行すべき動作の選択肢３４と、その動作を実行するためのボタンを示すアイコン３５を含む着信報知メッセージ３２をファインダに表示する。したがって、単にユーザに着信があったことを報知するのみならず、「メールを閲覧する」、「録画を続ける」の選択肢のうち、いずれの動作を実行するのかユーザに速やかに決定させることができるという効果がある。
【００５７】
また、本願発明にかかるカメラ付き携帯電話機は、上記説明のメール着信報知メッセージに従ってユーザがムービー撮影を選択すると、ファインダから着信報知メッセージが消去される。したがって、ユーザは着信報知メッセージに妨げられずにムービー撮影に集中できるという効果がある。
【００５８】
また、本願発明にかかるカメラ付き携帯電話機は、ムービー撮影中にメール着信があったときに、上記説明の着信報知メッセージを録画画像に重畳するようにファインダに表示するので、録画画像の一部または全部が着信報知メッセージの死角に入ってしまうという問題は生じない。このように、着信報知メッセージはムービー撮影の妨げにならないように表示されるので、ユーザはさしあたりムービー撮影を続けながらメール着信報知メッセージを認識することができるという効果がある。
【００５９】
また、本願発明にかかるカメラ付き携帯電話機は、実施の形態１において説明したファインダ画面表示処理を行うことにより、メール着信報知メッセージの色を背景色の色相、明度、彩度に応じて変更する。したがって、ファインダに表示された録画画像、つまり背景画像に対して十分な視認性、誘目性を有するメール着信報知メッセージを表示でき、ムービー撮影中のユーザは撮影環境にかかわらずメール着信報知メッセージを速やかに認識することができるという効果がある。
【００６０】
実施の形態３．
上記説明の実施の形態１および２では、ムービー撮影中に音声通話またはメールの着信が発生し、ムービー撮影を継続せずに電話に出たり、メールを閲覧したりする場合にはムービー撮影を停止し、カメラをオフにしていた。しかし、ムービー撮影を中断して応答した通話を終了した後に、速やかにムービー撮影を再開したいという要望があることも考えられる。カメラがオフにされた状態からムービー撮影を再開するためには、少なくともカメラをオンにする処理と、ムービー撮影モードを選択する処理、ムービー録画開始指示を入力する処理を行わなければならない。また、カメラをオフにせず、単にカメラ画像をファインダに出力しない状態でムービー撮影を中断している場合であっても、ムービー撮影を再開するには、再度ムービー録画開始指示を入力する処理は必要である。ムービー撮影を再開するために、これらの一連の処理を行うのは意外に時間がかかるものである。
【００６１】
このような問題を解決するためには、図３のＳＴＥＰ１２で実行した着信応答と通話の終了後、速やかにカメラを再起動させた上で、自動的にムービー撮影を再開させるように構成することが有効である。そこで、以下、通話の終了後に自動的にムービー撮影を再開する処理について説明する。なお、以下の説明は、ムービー撮影を中断して電話に出る場合には、カメラ機能がオフにされることを前提とする。
【００６２】
図１１は、本発明の実施の形態３にかかるカメラ付き携帯電話機が実行する通話終了後にムービー撮影を再開させる処理を示すフローチャートである。図１１に示す処理は、円で囲まれた「Ｂ」において図３および図８に示す一連の処理と連結されている。以下、特に図３を参照しながら説明する。ムービー録画中に発生した着信に応答するために、ユーザが行った着信応答処理が検出されると（図３、ＳＴＥＰ９でＹＥＳ）、ムービー撮影が停止されるとともに、カメラ機能がオフにされる（図３、ＳＴＥＰ１０）。その後、ムービー撮影が停止される以前に録画された画像を保存して（図３、ＳＴＥＰ１１）、着信応答処理が実行される（図３、ＳＴＥＰ１２）。
【００６３】
図１１において、通話が終了すると（ＳＴＥＰ２５）、ＣＰＵ１４は、「録画状態復帰設定」がなされているか判断する（ＳＴＥＰ２６）。「録画状態復帰設定」とは、ムービー撮影中の通話やメール閲覧が終了した後に、ムービー録画状態に復帰させるように、あらかじめユーザによって設定されるものである。録画状態復帰設定がなされていれば、ムービー撮影中の通話やメール閲覧の終了後、自動的にムービー撮影が再開される。ＳＴＥＰ２６において、録画状態復帰設定がされている場合には（ＳＴＥＰ２６でＹＥＳ）、ＣＰＵ１４はレンズカバー開閉検出部１３からの信号に基づいて、レンズカバーが閉じられているか判断する（ＳＴＥＰ２７）。レンズカバーが開いていれば（ＳＴＥＰ２７でＮＯ）、ＣＰＵ１４はカメラ・マイク・スピーカ制御部１５を制御してカメラを起動させる（ＳＴＥＰ２８）。そして、ＣＰＵ１４は、ムービー撮影モードを選択するとともに（ＳＴＥＰ２９）、ディスプレイ駆動回路１９を制御して、ファインダにカメラ画像と録画再開確認メッセージを表示させる（ＳＴＥＰ３０）。
【００６４】
この状態で、ファインダには、ムービー撮影が所定時間経過後に自動的に再開されることをユーザに報知して撮影準備を促すため、「１０秒後にムービー撮影を再開します。被写体にレンズを向けてください」という録画再開確認メッセージが、被写体を遮らないようにカメラ画像に重畳表示されている。「録画再開確認メッセージ」とは、ムービー撮影が再開されることをユーザに報知して撮影の準備を促すメッセージである。図１２は、録画再開確認メッセージが表示されたファインダ画面を示す平面図である。図１２に図示されたファインダ上の録画再開確認メッセージには、「１０秒後」というムービー撮影開始までの待ち時間が含まれている。このムービー撮影開始までの待ち時間は、ユーザが自由に設定することができる。なお、待ち時間が経過する以前であっても、ユーザが録画再開指示ボタン（録画開始指示ボタン）を押下すれば、ムービー撮影は即座に再開される。
【００６５】
ファインダにカメラ画像が表示された状態で、ＣＰＵ１４は、入出力音声信号処理部２２を制御してスピーカ４から録画再開確認音を鳴動させて（ＳＴＥＰ３１）、録画再開確認メッセージに表示された待ち時間が経過した後、ムービー撮影を再開させる（ＳＴＥＰ３２）。「録画再開確認音」とは、ユーザがファインダに表示された録画再開確認メッセージを見ていない場合でも、ムービー撮影が再開されることを報知して撮影準備を促すために鳴動される警告音であって、ムービー撮影が開始されるときに鳴動される録画開始音と兼用される。録画再開確認音は、ファインダに録画再開確認メッセージが表示されてからムービー撮影が再開されるまでのあいだ鳴動される。この録画再開確認音は、ムービー撮影が再開されるまでの待ち時間の経過とともに間欠的に鳴動させてもよいし、連続的に鳴動させてもよい。図３のＳＴＥＰ５に示されるとおり、着信音によって撮影が妨げられないよう、ムービー撮影モードが選択された時点でスピーカ４はオフにされているのであるが、録画再開確認音を鳴動させるときには、一時的にスピーカ４はオンに設定される。
【００６６】
録画状態復帰設定がなされていない場合には（ＳＴＥＰ２６でＮＯ）、ムービー撮影を再開するかユーザに判断させるために、ＣＰＵ１４は、ファインダに「ムービー録画を再開しますか」という要旨のメッセージを表示させる。ユーザがムービー撮影を再開することを選択した場合には、引き続きＳＴＥＰ２７にてレンズカバーが閉じられているか判断する処理が行われる。ユーザがムービー撮影を再開しないことを選択した場合には、処理は終了される（ＳＴＥＰ３４）。また、ＳＴＥＰ２７において、レンズカバーが閉じられている場合には（ＳＴＥＰ２７でＹＥＳ）、レンズカバーが閉じられていることをユーザに報知するために、ＣＰＵ１４は、ファインダに「レンズカバーを開けてください」という要旨の警告メッセージを表示させる（ＳＴＥＰ３５）。そして、レンズカバーの開閉状態を判断するＳＴＥＰ２７の処理に戻る。
【００６７】
上記一連の処理を実行することにより、ムービー撮影が自動的に再開される。しかし、ムービー撮影が自動的に再開されるまでに出力される録画再開確認メッセージや録画再開確認音をユーザが認識していなかった場合、ユーザが知らないうちにムービー撮影が行われることになり、メモリ容量やバッテリ容量が消耗してしまうという問題が発生する。かかる誤動作を防止するためには、ＳＴＥＰ３６以下の処理を実行するように構成することが有効である。すなわち、ムービー撮影が再開された後、録画再開確認メッセージで報知された待ち時間が経過する前にユーザによって録画再開指示が入力されたか判定する（ＳＴＥＰ３６）。待ち時間経過前にユーザによって録画再開が指示されていない場合には（ＳＴＥＰ３６でＮＯ）、ムービー録画は自動的に開始されたものであり、したがって、ユーザが認識していない可能性もあるため、引き続き録画再開承認メッセージをファインダに表示する。
【００６８】
「録画再開承認メッセージ」とは、例えば「ムービー撮影が再開されました。継続されるなら確認ボタンを押してください」というものであり、ユーザにムービー録画が再開されたことを報知するとともに、誤動作でないか判別するために、ユーザに所定の入力処理を要求するものである。一方、再開されたムービー撮影が待ち時間が経過する前にユーザによって指示されたものであるなら（ＳＴＥＰ３６でＹＥＳ）、ユーザはムービー撮影が再開されたことを自覚しており、誤動作である可能性はないため、そのままムービー撮影を継続する（ＳＴＥＰ３９）。ファインダに表示された録画再開承認メッセージに応じてユーザによってなされた所定の入力処理が検出されれば（ＳＴＥＰ３８でＹＥＳ）、ユーザはムービー撮影が再開されたことを認識していると考えられるので、ムービー撮影を継続する（ＳＴＥＰ３９）。一方、録画再開承認メッセージに応じた入力処理がなければ（ＳＴＥＰ３８でＮＯ）、再開したムービー撮影は誤動作である可能性が高いので、所定時間経過後にムービー撮影を停止する（ＳＴＥＰ４０）。
【００６９】
以上説明した処理は、ムービー撮影を中断して電話に出る場合には、カメラ機能をオフにするため、通話終了後、ムービー撮影を開始するためには、カメラをオンにして、ムービー撮影モードに設定する処理を行わなければならないことを前提として説明した。しかし、ムービー撮影中に電話に出る場合、カメラ機能はオフにせず、通話終了後にムービー撮影の開始指示待ちの状態に復帰するように構成することも考えられる。このような場合には、カメラ自体はすでに起動されており、ムービー撮影モードも選択されているので、図１１に示すカメラ起動処理（ＳＴＥＰ２８）やムービー撮影モード選択処理（ＳＴＥＰ２９）を実行せずに、ファインダにカメラ画像を表示させるＳＴＥＰ２９の処理を直接行うようにすればよい。
【００７０】
上記説明のように、本願発明にかかるカメラ付き携帯電話機は、ムービー撮影中に発生した音声通話やメールの着信に対して、着信応答やメール閲覧を行うために中断したムービー撮影を速やかに再開させることを目的としている。この目的を達成するため、本願発明にかかるカメラ付き携帯電話機は、通話やメール閲覧終了後、録画状態復帰設定がなされていれば、ムービー撮影を再開させるのに必要なカメラの再起動や撮影モードの再設定、ムービー録画開始など一連の処理を自動的に実行する。したがって、中断したムービー撮影を再開させるまでに必要な処理をユーザが実行する必要がないため、操作が容易なカメラ付き携帯電話機が実現できる。また、ムービー撮影を再開させるまでに必要な処理は自動的に実行されるので、ユーザが手動で行うよりもより速やかにムービー撮影を再開できるという効果がある。
【００７１】
また、本願発明にかかるカメラ付き携帯電話機は、ムービー撮影が再開される前に、ファインダに録画再開確認メッセージを表示するので、ムービー撮影が再開されることをユーザに報知して撮影の準備を促すことができ、ユーザが気づかないうちにムービー撮影が再開されるという問題を解決することができる。さらに、録画再開確認音も録画再開確認メッセージがファインダに表示されるとともに鳴動されるので、ユーザがファインダを見ていない場合でも、ムービー撮影が再開されることをより確実にユーザに報知することができる。
【００７２】
また、本願発明にかかるカメラ付き携帯電話機は、録画再開承認メッセージの表示と、録画再開承認メッセージに応じてユーザが所定の入力処理を行ったか検出する処理を行うことにより、自動的に再開されたムービー撮影が誤動作でないか判断し、誤動作と考えられる場合には、所定時間経過後にムービー撮影を停止させる処理を行う。したがって、ユーザが録画再開確認メッセージや録画再開確認音を認識しないままムービー撮影が再開されても、メモリ容量やバッテリ容量の浪費を最小限にすることができるという効果を奏する。
【００７３】
実施の形態４．
上記実施の形態１では、ムービー撮影中にかかってきた電話に出ずに、ムービー撮影を継続した場合、電話をかけてきた相手方には、「現在電話には出られません」、「後ほど電話しますのでメッセージをどうぞ」などのメッセージを送信して通話を断っていた。しかし、電話をかけてきた相手方に、ムービー撮影終了後直ちに連絡をとりたいという要望があることも考えられる。通常、着信に応答しなかった相手に電話をかけるには、着信履歴を表示して、電話をかけるべき相手を選択して発信ボタンを押すなどの煩雑な処理が必要であるが、ムービー撮影終了に伴い、自動的にムービー撮影中に着信した着信履歴を表示して、電話をかける相手を特定させ、電話を発信する画面を表示するように構成すればよい。以下、ムービー撮影終了後、ムービー撮影中に電話をかけてきた発信者に電話をかけるための処理について説明する。図１３は、本発明の実施の形態４にかかるカメラ付き携帯電話機が実行するムービー撮影終了後に、ムービー撮影中に電話をかけてきた発信者に対する電話発信画面を起動する処理を示すフローチャートである。図１３に示す処理は、円で囲まれた「Ｃ」において図３に示す一連の処理と連結されている。したがって、図１３とともに図３を参照しながら説明する。録画終了指示がユーザにより入力されると（図３のＳＴＥＰ１５でＹＥＳ）、ムービー撮影が停止される（図３のＳＴＥＰ１６）。そして、図１３に示すＳＴＥＰ３６以下の処理が実行される。
【００７４】
ＣＰＵ１４は、ムービー撮影を停止したことに伴い、自動発呼設定がなされているか判断する（ＳＴＥＰ３６）。「自動発呼設定」とは、ムービー撮影終了後、ムービー撮影中に電話をかけてきた発信者の一覧を表示したうえで、ユーザにより指定された相手に電話をかけるように、あらかじめユーザによって行われる設定である。ユーザによって自動発呼設定がなされていれば（ＳＴＥＰ３６でＹＥＳ）、ムービー撮影中に着信した件数のチェックを行う（ＳＴＥＰ３７）。そして、ムービー撮影中の着信件数が１件であれば（ＳＴＥＰ３８でＹＥＳ）、電話をかけるべき相手は必然的に特定されるので、発呼する相手の名前や電話番号、着信日時などを含む発信者情報をファインダに表示して（ＳＴＥＰ４１）、ユーザにより発呼指示が入力されるまで待機する（ＳＴＥＰ４２でＮＯ）。ユーザにより発呼指示が入力されれば（ＳＴＥＰ４２でＹＥＳ）、ファインダに表示された相手に電話をかける発呼処理を行う（ＳＴＥＰ４３）。
【００７５】
一方、ムービー撮影中の着信件数が複数あれば（ＳＴＥＰ３８でＮＯ）、電話をかけるべき相手をユーザにより特定させる必要があるので、ムービー撮影中に着信した発信者情報を含む着信一覧を作成してファインダに表示する（ＳＴＥＰ３９）。そして、ユーザにより電話をかけるべき相手が選択されるまで待機する（ＳＴＥＰ４０でＮＯ）。ファインダに表示されたムービー撮影中の着信の一覧を見て、ユーザが電話をかけるべき相手を選択すれば（ＳＴＥＰ４０でＹＥＳ）、電話をかける相手の発信者情報をファインダに表示し（ＳＴＥＰ４１）、ユーザにより発呼指示が入力されるまで待機する（ＳＴＥＰ４２でＮＯ）。ユーザにより発呼指示が入力されれば（ＳＴＥＰ４２でＹＥＳ）、ファインダに表示された相手に電話をかける発呼処理を行う（ＳＴＥＰ４３）。
【００７６】
なお、上記説明においては、ムービー撮影を停止したことを契機として、ムービー撮影中に電話をかけてきた発信者の着信一覧を表示するとともに電話発呼処理を起動していた。しかし、この電話発呼処理を起動するタイミングとしては、ムービー撮影停止時のほか、カメラ機能をオフにしたときでもよい。
【００７７】
また、上記説明においては、ムービー撮影終了に伴い、ムービー撮影中に着信した着信の一覧を作成して表示していた。しかし、ムービー撮影中の着信履歴に基づいて着信一覧を作成するのではなく、通常の着信履歴画面を起動して、着信一覧中、ムービー撮影中に着信したものが判別できるようにマークをつけて表示するように構成してもよい。
【００７８】
上記説明のように、本願発明にかかるカメラ付き携帯電話機は、ムービー撮影終了に伴い、ムービー撮影中に発生した着信の一覧を自動的に表示して、ユーザに電話をかける相手を選択させ、ユーザが選択した相手に電話をかけるように構成されているので、ムービー撮影終了後、ユーザは速やかに指定の発信者に電話をかけることができるという効果を奏する。
【００７９】
実施の形態５．
実施の形態２において説明したカメラ付き携帯電話機は、ムービー撮影中にメールの着信があり、かつユーザがメールを閲覧する場合には、ムービー撮影を停止してメール閲覧画面を起動するように構成されていた。しかし、ムービー撮影を継続しながらメールを閲覧したいというユーザが存在することも考えられる。以下説明するカメラ付き携帯電話機は、ムービー撮影中に着信したメールを、ムービー撮影を継続しながら閲覧することを可能にするものである。
【００８０】
図１４は、ムービー撮影を継続しながらメール閲覧処理を実行するカメラ付き携帯電話機の処理を示すフローチャートである。図１４において、ＳＴＥＰ８以前の処理は図８に示すＳＴＥＰ１〜ＳＴＥＰ８の処理と同様であるので詳細な説明は省略する。また、図１５は、メール着信報知メッセージが表示されたファインダ画面を示す平面図である。ムービー撮影中にメール着信があると（図８のＳＴＥＰ７でＹＥＳ）、図１５に示すようにファインダにメール着信報知メッセージが表示される（図８のＳＴＥＰ８）。図１５に示すファインダ画面には、「−−さんからメールが届いています。メールを見ますか？」というメッセージと、「メール閲覧」、「メールを見ない」といったユーザが実行すべき動作の選択肢と、その動作を実行するためのボタンを示すアイコンが表示されている。本実施の形態の説明は、ムービー撮影を継続しながらメールを閲覧するか、メールを見ないかという選択肢をユーザに選択させるため、図９に示すファインダ画面とは選択肢が異なっている。
【００８１】
図１５に示すメール着信報知メッセージに応じて、ユーザはムービー撮影を継続しながらメールを閲覧するか、しないかを選択する。メールを見ずに、ムービー撮影を継続する場合、ユーザは、ファインダに表示された「メールを見ない」の選択肢に対応するボタンを操作する（ＳＴＥＰ４５でＮＯ）。ＣＰＵ１４は、「メールを見ない」の選択肢に対応するボタンが入力されたことを検出すると、ファインダからメール着信報知メッセージを消去し（ＳＴＥＰ１３）、録画終了指示が入力されるまでムービー撮影を継続する。録画終了指示が入力されれば（ＳＴＥＰ１４でＹＥＳ）、ムービー撮影を停止する（ＳＴＥＰ１５）。一方、メールを見ながらムービー撮影を継続する場合、ユーザはファインダに表示された「メール閲覧」の選択肢に対応するボタンを操作する（ＳＴＥＰ４５でＹＥＳ）。ＣＰＵ１４は、「メール閲覧」の選択肢に対応するボタンが入力されたことを検出すると、ムービー撮影をそのまま継続しながら、メモリ２１に記憶された着信メールの本文を読み出す（ＳＴＥＰ４６）。そして、メモリ２１より読み出された着信メールの本文は、ファインダ画面表示部１８においてカメラ画像と合成される（ＳＴＥＰ４７）。ディスプレイ駆動回路１９は、ファインダ画面表示部１８が合成したカメラ画像と着信メールの本文をファインダに表示する（ＳＴＥＰ４８）。
【００８２】
図１６は、ムービー撮影中に着信メールの本文を表示したファインダ画面を示す平面図である。図１６（ａ）はメール本文をカメラ画像に重畳表示したファインダ画面を示しており、図１６（ｂ）はカメラ画面をファインダに対して縮小表示して得られた余白部分にメール本文をスクロールして表示するファインダ画面である。図１６において、図９と同一の符号は同一または相当部分を示すので説明は省略する。メール本文は、図１６（ａ）に示すように、カメラ画像に重畳してファインダに表示される。メール本文が長いためファインダ内に表示しきれないときには、ファインダ画面の下から上方向にスクロールさせながら表示してもよいし、図１６に図示されていないが、「改頁アイコン」をファインダに表示して、アイコンで指定されたボタンの操作によって、改頁するように表示してもよい。
【００８３】
また、メール本文は、図１６（ｂ）に示すように、メール本文を表示するときには、録画中のカメラ画像３６をファインダに対して縮小表示し、ファインダの余白部分にメール本文３７を右から左方向にスクロールさせながら表示してもよい。また、スクロール表示されるメール本文を早送りさせるための早送りアイコン３８、メール本文を後退させるための後退アイコン３９がメール本文３７と併せてファインダの余白部分に表示される。早送りアイコン３８と、後退アイコン３９は、ボタン２７を示すアイコンとボタン２７の操作方向を示す矢印を含んでいる。つまり、早送りアイコン３８は、ボタン２７を矢印の示す左方向に押すことにより、メール本文を早送りできることを示している。また、後退アイコン３９は、ボタン２７を矢印の示す右方向に押すことにより、メール本文を後退させられることを示している。
【００８４】
上記説明のように、本発明にかかるカメラ付き携帯電話機は、ムービー撮影中に着信したメールを、ムービー撮影中のカメラ画面に重畳表示し、かつ、メール本文が一画面で収まらないほど長文であるときには、スクロールして表示する。したがって、表示されたメール本文が被写体を遮ってしまうことがないので、ムービー撮影を継続しながらメールを閲覧することができる。また、メール本文をムービー撮影中に閲覧するとき、ファインダに対してカメラ画像を縮小表示し、ファインダの余白部分にメール本文をスクロール表示させるので、カメラ画面にメール本文を重畳表示するよりも、被写体の視認性は向上するという効果がある。また、カメラ画像を縮小表示して得たファインダの余白部分に、メール本文と併せて、メール本文のスクロールを早送り、後退させるアイコンを表示することにより、操作性が改善するという効果も見込まれる。
【図面の簡単な説明】
【００８５】
【図１】図１はカメラ付き携帯電話機の外観を示す平面図である。
【図２】図２は本発明の実施の形態１にかかるカメラ付き携帯電話機の構成を示すブロック図である。
【図３】図３は本発明の実施の形態１にかかるカメラ付き携帯電話機が実行するムービー撮影中における音声通話の着信処理の一例を示すフローチャートである。
【図４】図４はムービー撮影中に発生した着信による着信報知メッセージを表示したファインダ画面を示す平面図である。
【図５】図５は本発明の実施の形態１にかかるカメラ付き携帯電話機が実行する着信応答処理の一例を示すフローチャートである。
【図６】図６は本発明の実施の形態１にかかるカメラ付き携帯電話機が実行するムービー撮影モード選択時の音声通話の着信処理の一例を示すフローチャートである。
【図７】図７は本発明の実施の形態１にかかるカメラ付き携帯電話機が実行する着信報知メッセージのファインダ表示処理の一例を示すフローチャートである。
【図８】図８は本発明の実施の形態２にかかるカメラ付き携帯電話機が実行するムービー撮影中のメール着信処理の一例を示すフローチャートである。
【図９】図９はムービー撮影中にメールが着信した場合のメール着信報知メッセージを表示したファインダ画面を示す平面図である。
【図１０】図１０は本発明の実施の形態２にかかるカメラ付き携帯電話機が実行するムービー撮影モード選択時のメール着信に対する処理の一例を示すフローチャートである。
【図１１】図１１は、本発明の実施の形態３にかかるカメラ付き携帯電話機が実行する通話終了後にムービー撮影を再開させる処理を示すフローチャートである。
【図１２】図１２は、録画再開確認メッセージが表示されたファインダ画面を示す平面図である。
【図１３】図１３は、本発明の実施の形態４にかかるカメラ付き携帯電話機が実行する、ムービー撮影中に電話をかけてきた発信者に対する電話発信画面を起動する処理を示すフローチャートである。
【図１４】図１４は、ムービー撮影を継続しながらメール閲覧処理を実行するカメラ付き携帯電話機の処理を示すフローチャートである。
【図１５】図１５は、メール着信報知メッセージが表示されたファインダ画面を示す平面図である。
【図１６】図１６は、ムービー撮影中にメール本文を表示したファインダ画面を示す平面図である。
【符号の説明】
【００８６】
１  携帯電話機、２  上筐体、３  メインディスプレイ、４  スピーカ、５  カメラＢ、
６  下筐体、７  キー操作部、８  マイク、９  ヒンジ部、１０  サブディスプレイ、
１１  カメラＡ、１２  レンズカバー、１３  レンズカバー開閉検出部、１４  ＣＰＵ、
１５  カメラ・マイク・スピーカ制御部、１６  イヤホン端子、
１７  カメラ画像処理部、１８  ファインダ画面表示部、１９  ディスプレイ駆動回路、
２０  操作部、２１  メモリ、２２  入出力音声信号処理部、２３  アンテナ、
２４  無線部、２５  録画アイコン、２６  ボタン、２７  ボタン、
２８  着信報知メッセージ、２９  メッセージ、３０  選択肢、
３１  処理指示アイコン、３２  メール着信報知メッセージ、３３  メッセージ、
３４  選択肢、３５  処理指示アイコン、３６  縮小したカメラ画像、
３７  スクロール表示されるメール本文、３８  早送りアイコン、３９  後退アイコン、
【図１】
2005191899.tif 000003
【図２】
2005191899.tif 000004
【図３】
2005191899.tif 000005
【図４】
2005191899.tif 000006
【図５】
2005191899.tif 000007
【図６】
2005191899.tif 000008
【図７】
2005191899.tif 000009
【図８】
2005191899.tif 000010
【図９】
2005191899.tif 000011
【図１０】
2005191899.tif 000012
【図１１】
2005191899.tif 000013
【図１２】
2005191899.tif 000014
【図１３】
2005191899.tif 000015
【図１４】
2005191899.tif 000016
【図１５】
2005191899.tif 000017
【図１６】
2005191899.tif 000018